(57)【特許請求の範囲】
【請求項１】
端末から送信された信号を受信して該当する伝送路に伝送する通信機能及び保守運用に係る機能を有する通信装置において、
保守コマンドを受信するコマンド受信部と、
メッセージを送信するメッセージ送信部と、
前記保守コマンドがベンダ共通の処理に関わる第１コマンド及びベンダ個別の処理に関わる第２コマンドのいずれであるかを、前記保守コマンドに設定されるファンクションコードに基づいて判断するコマンド分析部と、
前記第１コマンドに基づき処理をして、該処理結果に従って前記メッセージを作成する第１コマンド処理部と、
前記第２コマンドに基づき処理をして、該処理結果に従って前記メッセージを作成する第２コマンド処理部と、
前記コマンド分析部の判別結果に基づき、前記保守コマンドを前記第１及び第２コマンド処理部のいずれかの該当するコマンド処理部に出力するコマンド制御部とを具備し、
前記第２コマンド処理部は、前記コマンド制御部から入力される前記第２コマンドに基づきベンダ個別コマンドに関わる処理を制御するベンダ個別コマンド制御部と、前記ベンダ個別コマンド制御部から入力される前記保守コマンドを、各共通コマンドとベンダ個別コマンドとの対応関係を示す共通保守コマンドフォーマット表を参照して、該当するベンダ個別のベンダ個別コマンドに変換するコマンド変換部と、前記ベンダ個別コマンド制御部から入力される前記ベンダ個別コマンドに係る処理を行い、該処理結果に従ってベンダ個別形式のメッセージを作成するベンダ個別メッセージ作成部と、前記ベンダ個別コマンド制御部から入力される前記ベンダ個別形式のメッセージを、各ベンダ個別形式のメッセージと共通形式のメッセージとの対応関係を示す共通メッセージフォーマット表を参照して、該当する共通形式のメッセージに変換するメッセージ変換部とを具備し、
前記ベンダ個別コマンド制御部は、前記ベンダ個別メッセージ作成部から入力される前記ベンダ個別形式のメッセージを前記メッセージ変換部に出力し、前記メッセージ変換部から入力される前記共通形式のメッセージを前記コマンド制御部に出力し、
前記コマンド制御部は、前記第１コマンド処理部及び前記ベンダ個別コマンド制御部の間をインタフェースし、前記ベンダ個別コマンド制御部は、前記コマンド変換部、前記ベンダ個別メッセージ作成部及び前記メッセージ変換部の間をインタフェースするように、前記コマンド制御部、前記コマンド分析部、前記第１コマンド処理部、前記ベンダ個別コマンド制御部、前記コマンド変換部、前記ベンダ個別メッセージ作成部及び前記メッセージ変換部は、階層的に構成されていることを特徴とする通信装置。
【請求項２】
それぞれが端末から送信された信号を受信して該当する伝送路に伝送する通信機能及び保守運用に係る機能を有する複数ベンダの通信装置と、前記複数の通信装置との間で保守運用に関わる通信を行うオペレーションシステムとを有するネットワークにおいて、
前記オペレーションシステムは、
ベンダ共通形式の共通コマンドを入力手段より入力する第１ヒューマンマシンインタフェース部と、
前記共通コマンドを該当する通信装置に送信するコマンド送信部と、
前記通信装置より共通形式のメッセージを受信するメッセージ受信部と、
前記共通形式のメッセージを出力手段に出力する第２ヒューマンマシンインタフェース部とを具備し、
前記各通信装置は、
前記保守コマンドがベンダ共通の処理に関わる第１コマンド及びベンダ個別の処理に関わる第２コマンドのいずれであるかを、前記保守コマンドに設定されるファンクションコードに基づいて判断するコマンド分析部と、
前記第１コマンドに基づき処理をして、該処理結果に従って前記メッセージを作成する第１コマンド処理部と、
前記第２コマンドに基づき処理をして、該処理結果に従って前記メッセージを作成する第２コマンド処理部と、
前記コマンド分析部の判別結果に基づき、前記保守コマンドを前記第１及び第２コマンド処理部のいずれかの該当するコマンド処理部に出力するコマンド制御部とを具備し、
前記第２コマンド処理部は、コマンド制御部から入力される前記第２コマンドに基づきベンダ個別コマンドに関わる処理を制御するベンダ個別コマンド制御部と、前記ベンダ個別コマンド制御部から入力される前記保守コマンドを、各共通コマンドとベンダ個別コマンドとの対応関係を示す共通保守コマンドフォーマット表を参照して、該当するベンダ個別のベンダ個別コマンドに変換するコマンド変換部と、前記ベンダ個別コマンド制御部から入力される前記ベンダ個別コマンドに係る処理を行い,該処理結果に従ってベンダ個別形式のメッセージを作成するベンダ個別メッセージ作成部と、前記ベンダ個別コマンド制御部から入力される前記ベンダ個別形式のメッセージを、各ベンダ個別形式のメッセージと共通形式のメッセージとの対応関係を示す共通メッセージフォーマット表を参照して、該当する共通形式のメッセージに変換するメッセージ変換部とを具備し、
前記ベンダ個別コマンド制御部は、前記ベンダ個別メッセージ作成部から入力される前記ベンダ個別形式のメッセージを前記メッセージ変換部に出力し、前記メッセージ変換部から入力される前記共通形式のメッセージを前記コマンド制御部に出力し、
前記コマンド制御部は、前記第１コマンド処理部及び前記ベンダ個別コマンド制御部の間をインタフェースし、前記ベンダ個別コマンド制御部は、前記コマンド変換部、前記ベンダ個別メッセージ作成部及び前記メッセージ変換部の間をインタフェースするように、前記コマンド制御部、前記コマンド分析部、前記第１コマンド処理部、前記ベンダ個別コマンド制御部、前記コマンド変換部、前記ベンダ個別メッセージ作成部及び前記メッセージ変換部は、階層的に構成されていることを特徴とするネットワーク。
【発明の詳細な説明】
【０００１】
【発明の属する技術分野】
本発明は、マルチベンダ対応通信装置における保守コマンド／メッセージの共通化に関するものである。
【０００２】
【従来の技術】
ネットワークは、複数の通信装置（通信ノード）により構築され、各通信ノードが、受信したデータ情報や音声情報を該当する伝送路に送信することにより、移動体端末等の端末装置間の通信が行われる。複数の通信ノードで構築されたネットワークの運用・保守は、各通信ノードにおける保守・運用情報に基づいて行われる。保守・運用情報とは、ネットワークを保守・運用するための各通信ノードにおける情報であって、例えば、あるサービスについてのお客からのアクセス数等のサービス系トラヒック情報、ある加入者がどのサービスに加入しているか等の加入者情報、装置障害情報等をいう。
【０００３】
運用・保守は、▲１▼保守者がオペレーションシステムに対する保守コマンドの入力、▲２▼オペレーションシステムが通信ノードに保守コマンドの送信、▲３▼通信ノードが保守コマンドに従って保守・運用情報の収集、▲４▼通信ノードが保守・運用情報のオーペレーションシステムへ送信、▲５▼オペレーションシステムが保守・運用情報を受信してディスプレイへ表示、▲６▼保守者が保守・運用情報の確認をすることにより行われる。ネットワークを構築する複数の通信ノードが複数ベンダにより提供されることが多い。
【０００４】
図８は、複数ベンダのノードにより構成されるネットワークを示す図である。図８に示すように、ネットワークは、オペレーションシステム２、Ａ社製ノード４＃Ａ１〜４＃Ａ３、Ｂ社製ノード４＃Ｂ１，４＃Ｂ２及びＣ社製ノード４＃Ｃ１より構成されている。複数ベンダのノードよりネットワークが構成される場合、保守者はＡ社／Ｂ社／Ｃ社の各ベンダ毎の異なるコマンド体系による保守コマンドをオペレーションシステム２に入力する。オペレーションシステム２は、入力された保守コマンドを該当ノードに送信する。該当ノードは、自ノード宛ての保守コマンドを受信すると、保守・運用情報を収集する。そして、ベンダ固有のメッセージ体系に従ったメッセージをオペレーションシステム２に送信する。オペレーションシステム２は、ノードより送信されたメッセージを受信して、ディスプレスに表示する。保守者は、ディスプレイに表示されたベンダ個別のメッセージを解析することにより、ネットワークの保守・運用を行う。
【０００５】
【発明が解決しようとする課題】
しかしながら、従来の複数ベンダによって異なるプラットホームで構築されたネットワークにおいて、以下の問題点があった。保守コマンド／メッセージがベンダ独自の体系で作成されていたため、保守者は、各ベンダ毎の異なるコマンド・メッセージ体系（Ａ社／Ｂ社／Ｃ社の３種類）を意識して、各ノードにあわせて、保守コマンドの入力、メッセージの解析を行うことにより、保守運用作業を実施する必要があるため、保守上の混乱を招き易かった。
【０００６】
本発明は、上記を鑑みてなされたものであり、複数ベンダの異なるプラットホームで構築されたネットワークを保守・運用する上で発生する、各々のベンダによって異なるコマンド・メッセージ体系による混乱を、コマンド・メッセージ体系を共通化することにより解決し、かつ保守運用の効率化を図ることのできるノード及びネットワークを提供することを目的とする。
【０００７】
【課題を解決するための手段】
図１は本発明の原理図である。図１に示すように、通信装置は、ベンダ個別の通信装置であって、コマンド受信部１０、メッセージ送信部１２、コマンド制御部１４、コマンド分析部１６、第１コマンド処理部１８及び第２コマンド処理部２０を具備する。コマンド受信部１０は、オペレーションシステムより送信された共通形式の保守コマンドを受信すると、該保守コマンドをコマンド制御部１４に出力する。コマンド制御部１４は、保守コマンドが入力されると、コマンド分析部１６にコマンドの分析を指示する。コマンド分析部１６は、保守コマンドがベンダ共通の処理に関わる第１コマンドであるか、ベンダ個別の処理に関わる第２コマンドであるかを判断して、判断結果をコマンド制御部１４に通知する。
【０００８】
コマンド制御部１４は、保守コマンドが第１コマンドであれば、保守コマンドを第１コマンド処理部１８に出力し、保守コマンドが第２コマンドであれば、保守コマンドを第２コマンド処理部２０に出力する。第１コマンド処理部１８は、第１コマンドに基づき処理をして、共通形式のメッセージを作成する。第２コマンド処理部２０は、第２コマンドに基づき処理をして、共通形式のメッセージを作成する。コマンド制御部１４は、第１及び第２コマンド処理部１８，２０が作成した共通形式のメッセージをメッセージ送信部１２に出力する。メッセージ送信部１２は、共通形式のメッセージをオペレーションシステムに送信する。これにより、オペレーションシステムは、ベンダ個別ではなくベンダに共通する共通形式の保守コマンドを送信し、ベンダ個別ではなくベンダに共通する共通形式のメッセージを受信するので、保守機能が統一化されるため保守上の混乱を未然に防止し、保守運用効率の向上が期待できる。
【０００９】
【発明の実施の形態】
図２は、本発明の実施形態の複数ベンダのノードから構成されるネットワークの構成図である。図２に示すように、ネットワークは、オペレーションシステム４０、Ａ社製ノード４２＃Ａ１〜４２＃Ａ３、Ｂ社製ノード４２＃Ｂ１，４２＃Ｂ２及びＣ社製ノード４２＃Ｃ１より構成されている。オペレーションシステム４０とＡ社製ノード４２＃Ａ１〜４２＃Ａ３、Ｂ社製ノード４２＃Ｂ１，４２＃Ｂ２及びＣ社製ノード４２＃Ｃ１間はＬＡＮ等により接続されている。
【００１０】
オペレーションシステム４０は、次の機能を有する。▲１▼ベンダに依存しない共通コマンド形式の保守コマンド（共通コマンド）を保守者が入力できるヒューマンマシンインタフェースを提供する。共通コマンドとは、従来ベンダ毎に用意されていた同じ内容の複数のコマンドを１コマンドに集約されたコマンド、あるいは、ベンダしかない個別のコマンドであってもそのコマンドのフォーマットが統一されているものをいう。共通コマンドのフォーマットは、ファンクションコード、パラメータ１，…，パラメータｎの共通した並びである。ファンクションコードは、コマンドの処理内容を表すコードである。パラメータ１，…，パラメータｎは、ファンクションの内容を詳細に規定するものである。▲２▼ヒューマンインタフェースより保守者が入力した共通コマンドを該当するノードに送信する。▲３▼該当ノードよりベンダに依存しない共通化メッセージ形式のメッセージ（共通メッセージ）を受信して、ディスプレイ等に表示するヒューマンマシンインタフェースを提供する。
【００１１】
図３は、図２中のオペレーションシステム４０の構成図である。図３に示すように、オペレーションシステム４０は、ヒューマンマシンインタフェース部５０、コマンド送信部５２及びメッセージ受信部５４を有する。ヒューマンマシンインタフェース部５０は、次の機能を有する。▲１▼保守者が共通コマンドをマウス、キーボード等の入力手段より入力すると、当該共通コマンドを保守コマンド送信部５２に渡す。▲２▼ノード４２＃ｉより送信された共通メッセージを受け取ると、ディスプレイ等にその内容を表示する。コマンド送信部５２は、ヒューマンマシンインタフェース部５０から保守コマンドを受け取ると、該当ノード４２＃ｉに送信する。メッセージ受信部５４は、ノード４２＃ｉから保守コマンドを受信すると、ヒューマンマシンインタフェース部５０に出力する。
【００１２】
ノード４２＃ｉ（ｉ＝Ａ１〜Ａ３，Ｂ１〜Ｂ２，Ｃ１）は、ベンダ毎に提供される通信装置であって、移動端末、固定電話端末等の端末から送信された音声信号やデータ信号を受信して、該当する伝送路に伝送する通信機能及び保守運用に関わる以下の機能を有する。ノードの保守運用に関わる処理としては、ベンダに依存せず、ベンダに共通する保守コマンド（ＡＰＬコマンド）に対するメッセージ（ＡＰＬメッセージ）処理及びベンダに依存する保守コマンド(ＰＦコマンド）に対するメッセージ（ＰＦメッセージ）処理に分類される。
【００１３】
ＡＰＬメッセージには、各サービスにおけるトラヒック情報等がある。ＰＦメッセージには、ノードの装置構成情報等がある。尚、ＡＰＬメッセージやＰＦメッセージには、ノードが定期的又は自律的にオペレーションシステム４０に送信するもの、例えば、ＰＦメッセージとして、装置故障通知等のメッセージも含まれる。ＡＰＬコマンドについては、ベンダに依存しない共通の処理に関わるものであるため、全ベンダに共通した処理とすることができる。一方、ＰＦコマンドについては、ベンダに個別の処理に関わるものであるため、全ベンダで共通した処理とすることができず、ベンダ個別の処理となる。
【００１４】
ＰＦコマンドに対する処理は、ベンダ個別の処理であり共通化できないので、既存の処理手段を流用することが開発コストも低減できる。既存の処理は、ＰＦ個別のコマンド形式（ＰＦコマンド形式）でインタフェースすることから、既存の処理手段を変更することなく処理ができるように、共通コマンドをＰＦコマンド形式のコマンドに変換してから、既存の処理手段にコマンド処理を依頼する。一方、ベンダ個別の処理手段により作成されたＰＦメッセージ形式のメッセージを共通メッセージ形式のメッセージに変換してから、オペレーションシステム４０に伝送する。
【００１５】
図４は、図２中のノード４２＃ｉ（ｉ＝Ａ１〜Ａ３，Ｂ１〜Ｂ２，Ｃ１）の機能ブロック図である。図４に示すように、ノード４２＃ｉは、コマンド送受信部６０＃ｉ、共通コマンド制御部６２＃ｉ、コマンド分析部６４＃ｉ、ＡＰＬコマンド制御部６６＃ｉ、ＰＦ拡張部コマンド制御部６８＃ｉ、コマンド変換部７０＃ｉ、共通保守コマンドフォーマット表７２＃ｉ、メッセージ変換部７４＃ｉ、共通メッセージフォーマット表７６＃ｉ、ＰＦコマンド制御部７８＃ｉ及びＰＦメッセージ制御部８０＃ｉを有する。
【００１６】
コマンド送受信部６０＃ｉは、次の機能を有する。▲１▼オペレーションシステム４０より送信された自ノード宛の共通コマンドを受信して、共通コマンド制御部６２＃ｉに出力する。▲２▼共通コマンド制御部６２＃ｉより出力された共通メッセージをオペレーションシステム４０に送信する。共通コマンド制御部６２＃ｉは、次の機能を有する。▲１▼共通コマンドが入力されると、コマンド分析部６４＃ｉに出力する。▲２▼コマンド分析部６４＃ｉが、入力された共通コマンドがＡＰＬコマンドであると判断したとき、共通コマンドをＡＰＬコマンド制御部６６＃ｉに出力し、ＰＦコマンドであると判断したとき、共通コマンドをＰＦ拡張部コマンド制御部６８＃ｉに出力する。▲３▼ＡＰＬコマンド制御部６６＃ｉよりメッセージが入力されると、コマンド送受信部６０＃ｉに出力する。▲４▼ＰＦ拡張部コマンド制御部６８＃ｉよりメッセージが入力されると、当該メッセージをコマンド送受信部６０＃ｉに出力する。コマンド分析部６４＃ｉは、共通コマンド制御部６２＃ｉより共通コマンドが入力されると、共通コマンドのファンクションコードより共通コマンドがＡＰＬコマンド／ＰＦコマンドのいずれであるかを判断して、判断結果を共通コマンド制御部６２＃ｉに通知する。ＡＰＬコマンド制御部６６＃ｉは、次の機能を有する。▲１▼ＡＰＬコマンドを入力して、コマンド処理をする。▲２▼コマンド処理に基づいて共通メッセージを作成する。▲３▼共通メッセージを共通コマンド制御部６２＃ｉに出力する。コマンド送受信部６０＃ｉ、共通コマンド制御部６２＃ｉ及びコマンド分析部６４＃ｉは、ベンダに共通した処理であり、新規に共通して用意される。
【００１７】
ＰＦ拡張部コマンド制御部６８＃ｉ、コマンド変換部７０＃ｉ、共通保守コマンド変換表７２＃ｉ、メッセージ変換部７４＃ｉ及び共通メッセージフォーマット表７６＃ｉは、ベンダ毎に新規に作成されるものであり、既存の処理手段によるＰＦコマンド形式の保守コマンド／ＰＦメッセージ形式のメッセージと共通コマンド／共通メッセージとの間のインタフェースを司る。
【００１８】
ＰＦ拡張部コマンド制御部６８＃ｉは、次の機能を有する。▲１▼共通コマンド制御部６２＃ｉよりＰＦコマンドを入力すると、コマンド変換部７０＃ｉに出力する。▲２▼コマンド変換部７０＃ｉよりＰＦコマンド形式に変換された保守コマンドを入力すると、ＰＦコマンド制御部７８＃ｉに出力する。▲３▼ＰＦメッセージ制御部８０＃ｉよりＰＦメッセージ形式のメッセージを入力すると、メッセージ変換部７４＃ｉに出力する。▲４▼メッセージ変換部７４＃ｉより共通メッセージ形式に変換されたメッセージを入力すると、共通コマンド制御部６２＃ｉに出力する。コマンド変換部７０＃ｉは、次の機能を有する。▲１▼ＰＦ拡張部コマンド制御部６８＃ｉより共通コマンドを入力すると、共通保守コマンドフォーマット表７２＃ｉを参照して、共通コマンドをＰＦコマンド形式の保守コマンドに変換する。▲２▼ＰＦコマンド形式の保守コマンドをＰＦ拡張部コマンド制御部６８＃ｉに出力する。
【００１９】
図５は、図４中の共通保守コマンドフォーマット表７２＃ｉの構成図である。図５に示すように、共通保守コマンドフォーマット表７２＃ｉは、各共通コマンド毎に、対応するＰＦコマンド形式の保守コマンドが格納されている。メッセージ変換部７４＃ｉは、次の機能を有する。▲１▼ＰＦ拡張部コマンド制御部６８＃ｉよりＰＦメッセージ形式のメッセージを入力すると、共通メッセージフォーマット表７６＃ｉを参照して、ＰＦメッセージ形式のメッセージを共通フォーマット形式のメッセージに変換する。▲２▼共通フォーマット形式のメッセージをＰＦ拡張部コマンド制御部６８＃ｉに出力する。
【００２０】
図６は、図４中の共通メッセージフォーマット表７６＃ｉの構成図である。図６に示すように、共通メッセージフォーマット表７６＃ｉは、各ＰＦメッセージ形式のメッセージ毎に、対応する共通メッセージ形式のメッセージが格納されている。ＰＦコマンド制御部７８＃ｉは、ＰＦ拡張部コマンド制御部６８＃ｉよりＰＦコマンドを入力すると、ＰＦメッセージ制御部８０＃ｉにＰＦコマンドに対する処理を依頼する。ＰＦメッセージ制御部８０＃ｉは、次の機能を有する。▲１▼ＰＦコマンド制御部７８＃ｉより処理依頼を受けると、ＰＦコマンドに対する処理を行う。▲２▼処理結果からＰＦメッセージ形式のメッセージ（ＰＦメッセージ）を作成する。▲３▼装置故障等が発生したとき、装置故障を通知するＰＦメッセージを作成する。▲４▼ＰＦメッセージをＰＦ拡張部コマンド制御部６８＃ｉに出力する。ＰＦコマンド制御部７８＃ｉ及びＰＦメッセージ制御部８０＃ｉは、新規に作成する必要はなく、既存の処理手段を流用する。以下、図２の動作説明をする。
【００２１】
（１）  保守コマンドの送信
保守者がオペレーションシステム４０中のヒューマンマシンインタフェース部５０を通して共通コマンドを入力する。このとき、保守者は、ベンダ毎の保守コマンドを入力する必要がないので、操作性が向上する。ヒューマンマシンインタフェース部５０は、共通コマンドを入力すると、共通コマンドをコマンド送信部５２に出力する。コマンド送信部５２は、共通コマンドを該当するノード４２＃ｉに送信する。尚、コマンドを共通化しているので、各ノード毎を宛先とする必要はなく、全ノードを宛先としてブロードキャストすることも可能である。
【００２２】
（２）  共通コマンドの受信
図７は、ノード４２＃ｉの動作フローチャートである。ノード４２＃ｉ中のコマンド送受信部６０は、ステップＳ２において、自ノード宛の共通コマンド形式の保守コマンドを受信すると、共通コマンド制御部６２＃ｉに出力する。共通コマンド制御部６２＃ｉは、保守コマンドをコマンド分析部６４＃ｉに出力する。コマンド分析部６４＃ｉは、ステップＳ４において、共通コマンドのファンクションコードより共通コマンドがＡＰＬコマンド／ＰＦコマンドのいずれであるか判断して、判断結果を共通コマンド制御部６２＃ｉに通知する。共通コマンド制御部６２＃ｉは、判断結果がＡＰＬコマンドであることを示すとき、ＡＰＬコマンド制御部６６＃ｉに共通コマンドを出力して、ステップＳ６に進む。判別結果がＰＦコマンドであることを示すとき、ＰＦ拡張部コマンド制御部６８＃ｉに出力して、ステップＳ１２に進む。
【００２３】
ＡＰＬコマンド制御部６６＃ｉは、ステップＳ６において、ＡＰＬコマンドが入力されると、ＡＰＬコマンドに対する処理を行う。例えば、ＡＰＬコマンドがトラヒック通知を指示しているとき、ＡＰＬコマンドのバラメータに従って、各サービス毎のトラヒック数を収集する。ＡＰＬコマンド制御部６６＃ｉは、ステップＳ８において、ＡＰＬコマンドに対する処理に従ってＡＰＬ共通メッセージを作成する。ＡＰＬコマンド制御部６６＃ｉは、ＡＰＬ共通メッセージを共通コマンド制御部６２＃ｉに出力する。共通コマンド制御部６２＃ｉは、ＡＰＬ共通メッセージをコマンド送受信部６０＃ｉに出力する。コマンド送受信部６０＃ｉは、ステップＳ１０において、ＡＰＬ共通メッセージをオペレーションシステム４０に送信する。
【００２４】
ＰＦ拡張部コマンド制御部６８＃ｉは、共通コマンドをコマンド変換部７０＃ｉに出力する。コマンド変換部７０＃ｉは、ステップＳ１２において、共通コマンドが入力されると、共通保守コマンドフォーマット表７２＃ｉを参照して共通コマンドをＰＦコマンド形式の保守コマンドに変換し、ＰＦコマンド形式の保守コマンドをＰＦ拡張部コマンド制御部６８＃ｉに出力する。ＰＦ拡張部コマンド制御部６８＃ｉは、ＰＦコマンド形式の保守コマンドをＰＦコマンド制御部７８＃ｉに出力する。ＰＦコマンド制御部７８＃ｉは、ステップＳ１４において、ＰＦコマンド形式の保守コマンドが入力されると、保守コマンドに関わる処理をＰＦメッセージ制御部８０＃ｉに依頼する。
【００２５】
ＰＦメッセージ制御部８０＃ｉは、ＰＦコマンドに関わる処理を行う。例えば、ＰＦコマンドが装置構成の通知を要求している場合は、装置構成情報を図示しない装置構成データベースより取得する。ＰＦメッセージ制御部８０＃ｉは、ステップＳ１６において、ＰＦコマンドに関わる処理結果に従ってＰＦメッセージ形式のメッセージを作成して、ＰＦ拡張部コマンド制御部６８＃ｉに出力する。ＰＦ拡張部コマンド制御部６８＃ｉは、ＰＦメッセージ形式のメッセージが入力されると、メッセージ変換部７４＃ｉに出力する。
【００２６】
メッセージ変換部７４＃ｉは、ステップＳ１８において、共通メッセージフォーマット表７６＃ｉを参照してＰＦメッセージ形式のメッセージをＰＦ共通メッセージに変換し、共通メッセージをＰＦ拡張部コマンド制御部６８＃ｉに出力する。ＰＦ拡張部コマンド制御部６８＃ｉは、ＰＦ共通メッセージを共通コマンド制御部６２＃ｉに出力する。共通コマンド制御部６２＃ｉは、ＰＦ共通メッセージをコマンド送受信部６０＃ｉに出力する。コマンド送受信部６０＃ｉは、ステップＳ２０において、ＰＦ共通メッセージをオペレーションシステム４０に送信する。
【００２７】
（３）  共通メッセージの受信
オペレーションシステム４０中のメッセージ受信部５４は、共通メッセージを受信すると、ヒューマンマシンインタフェース部５０に出力する。ヒューマンマシンインタフェース部５０は、共通メッセージが入力されると、共通フォーマットでディスプレイ等に出力する。保守者はディスプレイ等に出力された共通メッセージを確認する。このとき、メッセージがべンダ毎ではなく共通化されているので、保守上混乱を生じることがなくなる。以上説明した実施形態によれば、以下の効果を奏することができる。
【００２８】
▲１▼  コマンドを分類し、各ベンダ共通の拡張ＰＦインタフェースを規定することにより、各ベンダに依存しないコマンド制御機能及び振り分け機能がベンダ共通の機能として使用できる。
【００２９】
▲２▼  ＰＦ拡張部コマンド制御部をベンダ個別のオペレーションＩＦを吸収するように実装することにより、各ベンダ毎のＰＦコマンド制御部が流用可能となるので、開発コストを低減することができる。
【００３０】
▲３▼  ＰＦ拡張部コマンド制御部がベンダ個別のメッセージオペレーションＩＦを吸収するように実装することにより、各ベンダ毎のＰＦメッセージ制御部が流用可能となるので、開発コストを低減することができる。
【００３１】
▲４▼  ＰＦ拡張部コマンド制御部にて共通メッセージ形式に変換することにより、オペレーションシステムとの基本メッセージ制御にて共通メッセージ形式に変換することにより、オペレーションシステムとの基本メッセージ制御機能が、ベンダ共通の機能として機能として使用できる。
【００３２】
▲５▼  以上により、保守機能が統一化されるため、保守上の混乱を未然に防止し、保守運用効率の向上が期待できる。
【００３３】
本発明は以下の付記を含むものである。
【００３４】
（付記１）  通信装置において、
保守コマンドを受信するコマンド受信部と、
メッセージを送信するメッセージ送信部と、
前記保守コマンドがベンダ共通の処理に関わる第１コマンド及びベンダ個別の処理に関わる第２コマンドのいずれであるかを判断するコマンド分析部と、
前記第１コマンドに基づき処理をして、前記メッセージを作成する第１コマンド処理部と、
前記第２コマンドに基づき処理をして、前記メッセージを作成する第２コマンド処理部と、
前記コマンド分析部の判別結果に基づき、前記第１及び第２コマンド処理部を制御するコマンド制御部と、
を具備したことを特徴とする通信装置。
【００３５】
（付記２）  前記第２コマンド処理部は、前記保守コマンドをベンダ個別のベンダ個別コマンドに変換するコマンド変換部と、前記ベンダ個別コマンドに関わる処理を制御するベンダ個別コマンド制御部とを具備したことを特徴とする付記１記載の通信装置。
【００３６】
（付記３）  前記第２コマンド処理部は、前記ベンダ個別コマンド制御部の制御に基づき前記ベンダ個別コマンドに関わるベンダ個別形式のメッセージを作成するベンダ個別メッセージ作成部と、前記ベンダ個別形式のメッセージを共通形式のメッセージに変換するメッセージ変換部とを更に具備したことを特徴とする付記２記載の通信装置。
【００３７】
（付記４）  前記第２コマンド処理部は、前記コマンド変換部にコマンド変換の指示をし、前記コマンド変換部が変換したベンダ個別コマンドを前記ベンダ個別コマンド制御部に出力し、前記メッセージ変換部にメッセージ変換の指示をするインタフェース部を具備したことを特徴とする付記３記載の通信装置。
【００３８】
（付記５）  複数ベンダの通信装置と、前記複数の通信装置との間で保守運用に関わる通信を行うオペレーションシステムとを有するネットワークにおいて、
前記オペレーションシステムは、
ベンダ共通形式の共通コマンドを入力手段より入力する第１ヒューマンマシンインタフェース部と、
前記共通コマンドを該当する通信装置に送信するコマンド送信部と、
前記通信装置より共通形式のメッセージを受信するメッセージ受信部と、
前記共通形式のメッセージを出力手段に出力する第２ヒューマンマシンインタフェース部とを具備し、
前記各通信装置は、
前記共通コマンドを受信するコマンド受信部と、
前記共通形式のメッセージを送信するメッセージ送信部と、
前記共通コマンドがベンダ共通の処理に関わる第１コマンド及びベンダ個別の処理に関わる第２コマンドのいずれであるかを判断するコマンド分析部と、
前記第１コマンドに基づいて処理をして、前記共通形式のメッセージを作成する第１コマンド処理部と、
前記第２コマンドに基づいて処理をして、前記共通形式のメッセージを作成する第２コマンド処理部と、
前記コマンド分析部の判別結果に基づき、前記第１及び第２コマンド処理部を制御するコマンド制御部と、
を具備したことを特徴とするネットワーク。
【００３９】
【発明の効果】
以上説明したように、本発明によれば、保守機能が統一化されるため、保守上の混乱を未然に防止し、保守運用効率の向上が期待できる。
【図面の簡単な説明】
【図１】本発明の原理図である。
【図２】本発明の複数ベンダのノードより構成されるネットワークの構成図である。
【図３】図２中のオペレーションシステムの構成図である。
【図４】図２中のノードの機能ブロック図である。
【図５】図４中の共通保守コマンドフォーマット表の構成図である。
【図６】図４中の共通メッセージフォーマット表の構成図である。
【図７】ノードの動作フローチャートである。
【図８】従来の複数ベンダのノードより構成されるネットワークの構成図である。
【符号の説明】
１０  コマンド受信部
１２  メッセージ送信部
１４  コマンド制御部
１６  コマンド分析部
１８  第１コマンド処理部
２０  第２コマンド処理部
【図１】
0004083408.tif 000002
【図２】
0004083408.tif 000003
【図３】
0004083408.tif 000004
【図４】
0004083408.tif 000005
【図５】
0004083408.tif 000006
【図６】
0004083408.tif 000007
【図７】
0004083408.tif 000008
【図８】
0004083408.tif 000009